(57)【要約】【課題】  足元吹出口によって送風を行う際の、床板からの土埃の巻き上がりを低減することができる建設機械を提供することにある。【解決手段】  車体に設けられた床板１２と、この床板１２上に固定された基台１１と、この基台１１上に設置された運転席７と、この運転席７前方の床板１２上に足踏み操作可能に設けられた操作ペダル１７と、運転席７の後方に配置され温度調整した空気を生成する空調装置と、この空調装置により生成された空気をオペレータの足元に送風を行うための足元吹出口２０ａとを備え、基台１１により床板１２上に形成される空間に、空調装置からの空気を基台１１の前方に導くダクト２０を設け、足元吹出口２０ａが、ダクト２０の前端に設けられた開口部からなり、ダクト２０に曲げ部２０ｂを設けて足元吹出口２０ａを斜め上方に向け、操作ペダル１７の上方に向けて送風が行われるようにした。【選択図】図３
2005186768.tif 000002
【特許請求の範囲】
【請求項１】
車体に設けられた床板と、この床板上に固定された基台と、この基台上に設置された運転席と、この運転席前方の前記床板上に足踏み操作可能に設けられた操作ペダルと、前記運転席の後方に配置され温度調整した空気を生成する空調装置と、この空調装置により生成された空気を吹出す複数の吹出口とを運転室内に備える建設機械において、
前記複数の吹出口が、オペレータの足元に送風を行うための足元吹出口を含み、
前記基台により前記床板上に形成される空間内に、前記空調装置により生成された空気を前記基台の前方に導く導風路を設け、
前記足元吹出口が、前記導風路の前端に設けられた開口部からなり、
前記足元吹出口が設けられた前記前端を含む少なくとも前記導風路の一部を、前記操作ペダルの上方に向けて送風が行われるように、斜め上向きに形成したことを特徴とする建設機械。
【請求項２】
前記吹出口の前記床板に対する仰角を、１０〜２０°の範囲で設定したことを特徴とする請求項１記載の建設機械。
【請求項３】
前記導風路が、ダクトからなり、このダクトの前端部を曲げ形成することにより前記足元吹出口を前記斜め上向きにしたことを特徴とする請求項１または２記載の建設機械。
【請求項４】
前記導風路の底部に排水口を設けることを特徴とする請求項１〜３のいずれか１項に記載の建設機械。
【発明の詳細な説明】
【技術分野】
【０００１】
本発明は、ショベル、ホイルローダおよびクレーンなどの建設機械であって、運転室内に設けられ空調装置により生成された空気をオペレータの足元に送風するための足元吹出口を改良したものに関する。
【背景技術】
【０００２】
従来の建設機械は、車体に設けられた床板と、この床板上に固定された基台と、この基台上に設置された運転席と、この運転席前方の床板上に足踏み操作可能に設けられた操作ペダルと、運転席の後方に配置され温度調整した空気を生成する空調装置と、この空調装置により生成された空気を吹出す複数の吹出口とを運転室内に備えている。
【０００３】
複数の吹出口は、オペレータの足元に送風を行うための足元吹出口を含む。基台により床板上に形成される空間内には、空調装置により生成された空気を基台の前方に導く導風路、すなわち、ダクトが設けられている。足元吹出口は、ダクトの前端に設けられた開口部からなり、操作ペダルに向かって開口している。
【特許文献１】特開２０００−１６８３４２公報（図２，５）
【発明の開示】
【発明が解決しようとする課題】
【０００４】
建設機械は、土砂や岩石が周囲に散乱し土埃が激しい作業現場で使用される。このような作業現場において、オペレータは作業情況を確認するために運転室への出入りを頻繁に行うため、運転室にはオペレータの靴に付着した土砂が持ち込まれる。また、建設機械の周囲の作業情況を確認しながら作業を進めるために、オペレータは運転室のドアを開けたまま作業を行うこともあり、このため、飛散した土埃が運転室内に侵入する。これらのことから、特に、運転席内の床板上には土埃が堆積する。
【０００５】
従来の建設機械では、足元吹出口により送風を行うと、この足元吹出口が操作ペダルに向かって開口しているために、足元吹出口から吹出された空気が床板に沿って流れ、床板に堆積した土埃が巻き上がる。この結果、運転室内が埃まみれになる。
【０００６】
本発明は、上述の実情を考慮してなされたもので、その目的は、足元吹出口によって送風を行う際の、床板からの土埃の巻き上がりを低減することができる建設機械を提供することにある。
【課題を解決するための手段】
【０００７】
上述の目的を達成するために、本発明は、車体に設けられた床板と、この床板上に固定された基台と、この基台上に設置された運転席と、この運転席前方の前記床板上に足踏み操作可能に設けられた操作ペダルと、前記運転席の後方に配置され温度調整した空気を生成する空調装置と、この空調装置により生成された空気を吹出す複数の吹出口とを運転室内に備える建設機械において、前記複数の吹出口が、オペレータの足元に送風を行うための足元吹出口を含み、前記基台により前記床板上に形成される空間内に、前記空調装置により生成された空気を前記基台の前方に導く導風路を設け、前記足元吹出口が、前記導風路の前端に設けられた開口部からなり、前記足元吹出口が設けられた前記前端を含む少なくとも前記導風路の一部を、前記操作ペダルの上方に向けて送風が行われるように、斜め上向きに形成したことを特徴とする。
【０００８】
このように構成した本発明では、足元吹出口が設けられた前端を含む導風路の一部を、操作ペダルの上方に向けて送風が行われるように、斜め上向きに形成した。これにより、足元吹出口から吹出される風量のうちの床板に沿って流れる風量、特に土埃が堆積しやすい操作ペダルの下方に流れる風量を少なくすることができる。したがって、足元吹出口によって送風を行う際の、床板からの土埃の巻き上がりを低減することができる。
【０００９】
また、本発明は、前記発明において、前記吹出口の前記床板に対する仰角を、１０〜２０°の範囲で設定したことを特徴とする。
【００１０】
また、本発明は、前記発明において、前記導風路が、ダクトからなり、このダクトの前端部を曲げ形成することにより前記足元吹出口を前記斜め上向きにしたことを特徴とする。
【００１１】
また、本発明は、前記発明において、前記導風路の底部に排水口を設けることを特徴とする。
【発明の効果】
【００１２】
以上で説明したように、本発明によれば、足元吹出口から吹出される風量のうちの床板に沿って流れる風量、特に土埃が堆積しやすい操作ペダルの下方に流れる風量を少なくすることができる。したがって、足元吹出口によって送風を行う際の、床板からの土埃の巻き上がりを低減することができる。この結果、運転室内が埃まみれになるのを防止することに貢献できる。
【発明を実施するための最良の形態】
【００１３】
以下で本発明の建設機械の一実施形態について図を用いて説明する。
【００１４】
図１は、本発明の建設機械の一実施形態の外観を示す側面図、図２は、図１に示す運転室内に備えられる運転席およびその周囲の機材を示す正面図、図３は、図１に示す運転室内に備えられる運転席およびその周囲の機材を示す側面図、図４は、運転室内に備えられる空調装置、吹出口およびダクトを示す斜視図、図５は、図４の側面図、図６は、図４の平面図である。
【００１５】
本実施形態は、建設機械、例えば図１に示すクローラ式ショベル１である。このショベル１は、フロント作業機２と、このフロント作業機２が回動可能に連結され、運転室４および機械室５等が設置される旋回体３と、履帯を回転させてショベル１を走行させる走行体６とを備えている。
【００１６】
前記運転室４は、図４〜６に示すように、ボックス形状をなし、ドア４０ａ（図１参照）が設けられた左側壁４０と、窓４１ａ，４１ｂが設けられた右側壁４１と、前窓４２と、後窓４３ａが設けられた後壁４３と、天井４４と、床板１２とにより大略構成してある。
【００１７】
本実施形態は、運転室４内に、図２，３に示すように、床板１２上に固定された基台１１と、この基台１１上に設置された運転席７と、この運転席７前方の床板１２上に足踏み操作可能に設けられた操作ペダル１７と、この操作ペダル１７付近に設けられた走行用操作レバー１５とを備えている。
【００１８】
また、運転室４内には、図４〜６に示すように、運転席７の後方に配置され温度調整した空気を生成する空調装置５０と、この空調装置５０により生成された空気を吹出す複数の吹出口とを設けてある。
【００１９】
複数の吹出口としては、例えばオペレータの上半身に送風を行うために運転席７の右前方に設けられた吹出口５１ａ、運転室４の後窓４３ａの曇り止めのために運転席７の後方に設けられた吹出口５１ｂ、前窓４２ａの曇り止め防止のために前窓４２の下部付近に設けられた吹出口５１ｃ、さらに、運転席７の下方に設けられ、オペレータの足元に送風を行うための足元吹出口２０ａがある。
【００２０】
吹出口５１ａ，５１ｃおよび足元吹出口２０ａのそれぞれと、空調装置５０との間には、ダクト５２，５３および足元ダクト２０を設けてある。吹出口５１ｂは、ダクト５２の途中に形成してある。ダクト５２は、運転席７の右下方において前後に延設し、前部を上方に３段に曲げ形成してなる。ダクト５３は、運転席７の右側に立設し、右側方の視界を妨げない高さ位置から斜め後方に曲げ形成してなる。
【００２１】
また、図２，３に示すように、前記基台１１は、運転席７の下方に足元ダクト２０を配置する空間２１を形成するために、正面視形状を門形にしてある。また、基台１１は、その両側部１１ｂのそれぞれの端部に側方に広がる鍔部１１ｃを有する。各鍔部１１ｃは、ボルトにより床板１２に締結してあり、これにより、基台１１を床板１２に固定してある。
【００２２】
また、基台１１の上部１１ａには、運転席７の前後方向の位置を調節するための前後位置調節機構部１０を設けてある。この前後位置調節機構部１０は、基台１１の上部１１ａに固定され、前後方向に延びるレール（図示しない）と、このレールにガイドされてスライドするスライダ（図示しない）と、このスライダのスライドをロックするロック機構部（図示しない）と、このロック機構部によるロックを解除するためのレバー１０ａとを備えている。
【００２３】
また、基台１１上方には、可動台９を配置してある。この可動台９は、前後位置調節機構部１０により前後方向に可動となっている。つまり、この可動台９の下部には、前後位置調節部１０の前記スライダを取り付けてあり、これにより、可動台９が前記レールに沿って前後に移動するようにしてある。また、可動台９の上部には、運転席７の上下方向の位置を調節するための上下位置調節機構部８を取り付けてある。この上下位置調節機構部８は、上下方向に伸縮するリンク機構部（図示しない）と、このリンク機構部の伸張をロックするロック機構部（図示しない）と、このロック機構部によるロックを解除するためのレバー８ａとを備えている。
【００２４】
そして、上下位置調節機構部８の上部には、運転席７を取り付けてある。また、可動台９の両側部には、ブラケット９ａを設けてあり、各ブラケット９ａに前記フロント作業機２を操作するためのフロント用操作レバー１５を含むコンソール１４を取り付けてある。また、運転席７の両側部のそれぞれには、ブラケット１８を介してアームレスト１３を取り付けてある。
【００２５】
本実施形態は、足元ダクト２０に特徴を有するので、以下で足元ダクト２０について詳細に説明する。
【００２６】
足元ダクト２０は、図２，３に示すように、基台１１により床板１２上に形成される空間２１に、空調装置５０により生成された空気を基台１２の前方に導く導風路である。前記足元吹出口２０ａは、足元ダクト２０の前端に設けられた開口部からなる。
【００２７】
また、足元ダクト２０は、その両側部に設けたブラケット２０ｅを、基台１１により形成される空間２１内において床板１２に締結することにより、床板１２から所定の高さ浮かせた状態で床板１２に固定してある。
【００２８】
また、足元吹出口２０ａが設けられた前端を含む足元ダクト２０の一部は、操作ペダル１７の上方に向けて送風が行われるように、斜め上向きに形成してある。つまり、足元ダクト２０の前端部を斜め上方に向けるための曲げ部２０ｂを形成することによって、足元吹出口２０ａを斜め上向きにしてある。この足元吹出口２０ａの床板１２に対する仰角θ、すなわち、足元吹出口２０ａの開口面に直交する想像線２２と、床板１２に平行な想像線２３とがなす角θは、１０°〜２０°の範囲で設定してあり、例えば１５°に設定してある。
【００２９】
また、足元ダクト２０の下部には、中央に向かって深くなるように傾斜する凹部２０ｃと、この凹部２０ｃの中央で床板１２を貫通する排水口２０ｄとを設けてある。排水口２０ｄは、図示しないがショベル１の外に連通している。
【００３０】
このように構成した本実施形態では、足元ダクト２０により送風が行われる際、足元吹出口２０ａの床板１２に対する仰角θを１０°〜２０°の範囲で設定してあるので、足元吹出口２０ａから吹出された空気が、操作ペダル１７の上端部の高さ以上であってオペレータ３０のふくらはぎよりも下方の高さ位置に向かって、斜め上方に流れる。
【００３１】
また、本実施形態では、床板１２を水で洗い流す際、足元吹出口２０ａから足元ダクト２０内に水が入っても、その水が凹部２０ｃにより排水口２０ｄに導かれ、この排水口２０ｄからショベル１の外に排出される。
【００３２】
本実施形態によれば、次の効果が得られる。
【００３３】
本実施形態では、足元吹出口２０ａの床板１２に対する仰角θを１０°〜２０°の範囲で設定してあるので、足元吹出口２０ａから吹出された空気が斜め上方に流れ、足元吹出口２０ａから吹出された風量のうち床板１２に沿って流れる風量、特に土埃が堆積しやすい操作ペダル１７の下方を流れる風量を少なくすることができる。これにより、足元吹出口２０ａにより送風する際の、床板１２からの土埃の巻き上がりが低減される。この結果、運転室４内が埃まみれになるのを防止することに貢献できる。
【００３４】
また、本実施形態では、足元ダクト２０に曲げ部２０ｂを形成することにより、足元吹出口２０ａを斜め上方に向けてある。これにより、グリル等の別の部品を足元ダクト２０に設けて風向を斜め上方に設定する場合よりも、部品点数や組立工数がなくて済む。
【００３５】
また、本実施形態では、足元吹出口２０ａから足元ダクト２０内に入った水を、凹部２０ｃおよび排水口２０ｄによりショベル１の外に排出することができる。これにより、足元吹出口２０ａにグリルやダンパ等を設けなくても、足元ダクト２０内に水がたまるのを防止できる。
【００３６】
なお、上述の実施形態は、クローラ式ショベル１であるが、本発明はこれに限るものではない。つまり、運転席の下方に足元ダクトを配置するために、床板との間に空間を形成する基台を備える建設機械であればよく、例えばホイルローダやクレーンでもよい。
【００３７】
また、足元ダクト２０の一部を斜め上向きに形成したものを例に挙げて説明したが、足元ダクト２０全体を斜め上向きに形成したものでも上述と同様の作用・効果を奏することができる。
【図面の簡単な説明】
【００３８】
【図１】本発明の建設機械の一実施形態の外観を示す側面図である。
【図２】図１に示す運転室内に備えられる運転席およびその周囲の機材を示す正面図である。
【図３】図１に示す運転室内に備えられる運転席およびその周囲の機材を示す側面図である。
【図４】運転室内に備えられる空調装置、吹出口およびダクトを示す斜視図である。
【図５】図４の側面図である。
【図６】図４の平面図である。
【符号の説明】
【００３９】
１      クローラ式ショベル
３      旋回体
４      運転室
７      運転席
８      上下調節機構部
９      可動台
１０    前後位置調節機構部
１１    基台
１２    床板
１７    操作ペダル
２０    足元ダクト
２０ａ  足元吹出口
２０ｂ  曲げ部
２０ｃ  凹部
２０ｂ  排水口
５０    空調装置
５１ａ  吹出口
５１ｂ  吹出口
５１ｃ  吹出口
【図１】
2005186768.tif 000003
【図２】
2005186768.tif 000004
【図３】
2005186768.tif 000005
【図４】
2005186768.tif 000006
【図５】
2005186768.tif 000007
【図６】
2005186768.tif 000008